(57)【特許請求の範囲】
【請求項１】
動画情報が記憶される第１の記憶媒体と、
前記第１の記憶媒体に、前記動画情報を記録する第１の記録手段と、
前記第１の記憶媒体から前記動画情報を読み出し、該動画情報から映像及び音声として再生可能な信号を復元する再生手段と、
前記再生手段が前記第１の記憶媒体から前記動画情報を読みだし、該動画情報から映像及び音声として再生可能な信号を復元することを禁止する第１の禁止手段と、
前記第１の禁止手段が、該禁止をした場合、該再生手段による前記第１の記憶媒体からの前記動画情報の読出位置を検出する検出手段と、
前記検出手段が検出した前記読出位置の情報（以下、読出位置情報と称する）が記憶される第２の記憶媒体と、
前記第２の記憶媒体に、前記読出位置情報を記録する第２の記録手段と、
第２の記録手段が前記第２の記憶媒体に記録した前記読出位置情報に基づき、該読出位置から、再生手段に動画情報から映像及び音声として再生可能な信号を復元させる再生制御手段と、
通信端末との間で通信を行うための通信インターフェイスと、
少なくとも、通信を許可された前記通信端末の識別情報と、該通信端末との間で通信を行うための情報とが記憶された第３の記憶媒体と、
前記通信インターフェイスが前記通信端末に接続されると、前記識別情報に基づいて、前記通信端末と通信可能か否かを判断し、通信可能であると判断した場合に、前記第３の記憶媒体に記憶された情報に基づき、前記通信インターフェイスを介して、前記通信端末との間で通信を行う通信制御手段と、
を備えた記録再生装置であって、
前記第１の禁止手段が、前記禁止をした場合、前記読出位置情報に基づき、該読出位置からの動画情報を生成し、該動画情報を、前記第３の記憶媒体に追加する追加手段と、
前記追加手段が前記動画情報を前記第３の記憶媒体に追加したか否かを判定する判定手段と、
を備え、
前記通信制御手段は、前記判定手段が、追加したと判定し、前記通信インターフェイスが前記通信端末に接続されると、前記識別情報に基づき、前記通信端末と通信可能であるか否かを判断し、通信可能であると判断した場合に、前記第３の記憶媒体に記憶された情報に基づき、前記通信インターフェイスを介して、前記通信端末との間で通信を行うこと、
を特徴とする記録再生装置。
【請求項２】
請求項１に記載の記録再生装置において、
前記第１の禁止手段が前記禁止をした場合、前記追加手段が、前記読出位置情報に基づき、該読出位置からの動画情報を生成し、該動画情報を、前記第３の記憶媒体に追加することを禁止する第２の禁止手段と、
を備えることを特徴とする記録再生装置。
【請求項３】
請求項１または２に記載の記録再生装置において、
前記第１の禁止手段が、前記禁止をした場合、前記追加手段は、前記読出位置情報を第３の記憶媒体に追加すること
を特徴とする記録再生装置。
【請求項４】
請求項１〜３の何れかに記載の記録再生装置において、
前記通信端末とは、携帯型通信機器であること、
を特徴とする記録再生装置。
【請求項５】
請求項１〜３の何れかに記載の記録再生装置において、
前記通信端末とは、携帯型通信機器以外の再生装置であること、
を特徴とする記録再生装置。
【請求項６】
請求項１〜５の何れかに記載の記録再生装置において、
前記通信制御手段は、通信可能と判断した通信端末に、前記追加手段により前記第３の記憶媒体に追加された動画情報を送信するようになっていることを特徴とする記録再生装置。
【請求項７】
請求項３に記載の記録再生装置において、
前記通信端末は動画情報を記憶できるようになっており、
前記通信制御手段は、通信対象である通信端末に動画情報が記憶されており、かつその動画情報が前記第１の記憶媒体に記憶されている動画情報と一致するか否かを判定し、一致すると判定すると、その通信端末に、前記追加手段により前記第３の記憶媒体に追加された前記読出位置情報を送信するようになっていることを特徴とする記録再生装置。
【請求項８】
動画情報が記憶された第１の記憶媒体からその動画情報を読み出すとともに、読み出した動画情報が表す映像及び音声を出力する再生動作を実行する再生手段と、
外部の機器と通信を行うための通信インターフェイスと、
を備えた記録再生装置と、
前記記録再生装置と通信可能な通信端末とからなる再生システムであって、
前記記録再生装置は、
前記再生手段の前記再生動作を停止させる第１の禁止手段と、
前記第１の禁止手段により前記再生動作が停止されると、前記第１の記憶媒体における動画情報の読み出し停止位置を検出する検出手段と、
前記検出手段により検出された読み出し停止位置の情報（以下、停止位置情報と言う）を第２の記憶媒体に記録する記録手段と、
前記第１の禁止手段により前記再生動作が停止された際、前記第１の記憶媒体に記憶された動画情報のうち、前記第２の記憶媒体に記憶された前記停止位置情報が表す停止位置から再生されるべき動画情報をその第１の記憶媒体から読み出して第３の記憶媒体に記憶させる追加手段と、
前記追加手段により前記第３の記憶媒体に記憶された動画情報を、前記通信インターフェイスを介して前記通信端末に送信する通信制御手段とを備え、
前記通信端末は、
前記記録再生装置から受信した動画情報を記憶する受信情報記憶手段と、
前記受信情報記憶手段に記憶された動画情報が表す映像及び音声を出力する端末側再生手段とを備えていることを特徴とする再生システム。
【請求項９】
請求項８に記載の再生システムにおいて、
前記記録再生装置は、
使用者の入力に基づき、前記追加手段が前記第３の記憶媒体に動画情報を記憶させることを禁止する第２の禁止手段と、
使用者の入力に基づき、前記再生手段に、前記第１の記憶媒体に記憶された動画情報についての前記再生動作を、前記第２の記憶媒体に記録された停止位置情報が表す停止位置から再開させる再生制御手段とを備えていることを特徴とする再生システム。
【請求項１０】
請求項８又は請求項９に記載の再生システムにおいて、
前記通信端末は、動画情報を記憶する動画情報記憶手段を備えており、
前記追加手段は、前記停止位置情報を前記第３の記憶媒体に記憶させるようになっており、
前記通信制御手段は、通信対象である通信端末の前記動画情報記憶手段に動画情報が記憶されており、かつその動画情報が前記第１の記憶媒体に記憶されている動画情報と一致するか否かを判定し、一致すると判定すると、その通信端末に、前記追加手段により前記第３の記憶媒体に記憶された前記停止位置情報を、その追加手段によりその第３の記憶媒体に記憶された動画情報に代えて送信するようになっており、
前記端末側再生手段は、前記記録再生装置から前記停止位置情報を受信すると、前記動画情報記憶手段に記憶された動画情報のうち、その停止位置情報が表す停止位置から再生すべき動画情報を読み出してその動画情報が表す映像及び音声を出力するようになっていることを特徴とする再生システム。
【請求項１１】
動画情報を受信するとその動画情報が表す映像及び音声を出力するように構成された通信端末と通信可能に接続される記録再生装置であって、
動画情報が記憶された第１の記憶媒体からその動画情報を読み出すとともに、読み出した動画情報が表す映像及び音声を出力する再生動作を実行する再生手段と、
前記再生手段の前記再生動作を停止させる第１の禁止手段と、
前記第１の禁止手段により前記再生動作が停止されると、前記第１の記憶媒体における動画情報の読み出し停止位置を検出する検出手段と、
前記検出手段により検出された読み出し停止位置の情報（以下、停止位置情報と言う）を第２の記憶媒体に記録する記録手段と、
前記第１の禁止手段により前記再生動作が停止された際、前記第１の記憶媒体に記憶された動画情報のうち、前記第２の記憶媒体に記憶された前記停止位置情報が表す停止位置から再生されるべき動画情報をその第１の記憶媒体から読み出して第３の記憶媒体に記憶させる追加手段と、
前記追加手段により前記第３の記憶媒体に記憶された動画情報を、前記通信端末との間で通信を行うための通信インターフェイスを介して前記通信端末に送信する通信制御手段とを備えていることを特徴とする記録再生装置。
【発明の詳細な説明】
【技術分野】
【０００１】
本発明は、レジューム機能を備えた動画情報を再生するための記録再生装置及び再生システムに関する。
【背景技術】
【０００２】
近年においては、上記レジューム機能を備えた動画情報を再生するための記録再生装置が知られている。
このレジューム機能とは、動画情報の再生動作中に、視聴者が一旦再生を停止したときに、次の再生動作時に前回の再生停止状態から継続的に動画情報を再生開始するように制御する機能である。
【０００３】
上記記録再生装置には、上記レジューム情報と関連して再生停止箇所が属するシーンの先頭箇所を記録する記録手段と、レジューム再生時には、前記記録手段に記録されたこのシーンの先頭箇所から記録媒体に記録された情報を再生するように制御する制御手段を備えられている。
【０００４】
したがって、この記録再生装置は、レジューム再生が可能である。（例えば、特許文献１参照）。
【特許文献１】特開２００２−２８１４４７号公報（第１頁、図１）
【発明の開示】
【発明が解決しようとする課題】
【０００５】
ところで別途備えた上記記録再生装置以外の装置にて、再生停止箇所からの動画情報が再生されることができれば、この記録再生装置が設置された場所以外で、動画情報の続きを視聴することを望む視聴者にとっては、都合が良い。
【０００６】
そこで、本発明は、こうした問題に鑑みなされたものであり、別途備えた上記記録再生装置以外の装置にて、再生停止箇所からの動画情報が再生されるための記録再生装置及び再生システムを提供する。
【課題を解決するための手段】
【０００７】
係る目的を達成するためになされた請求項１に記載の発明は、動画情報が記憶される第１の記憶媒体と、第１の記憶媒体に、動画情報を記録する第１の記録手段と、第１の記憶媒体から動画情報を読み出し、この動画情報から映像及び音声として再生可能な信号を復元する再生手段と、再生手段が第１の記憶媒体から動画情報を読みだし、この動画情報から映像及び音声として再生可能な信号を復元することを禁止する第１の禁止手段と、第１の禁止手段が、この禁止をした場合、この再生手段による第１の記憶媒体からの動画情報の読出位置を検出する検出手段と、検出手段が検出した読出位置の情報（以下、読出位置情報と称する）が記憶される第２の記憶媒体と、第２の記憶媒体に、読出位置情報を記録する第２の記録手段と、第２の記録手段が第２の記憶媒体に記録した読出位置情報に基づき、この読出位置から、再生手段に動画情報から映像及び音声として再生可能な信号を復元させる再生制御手段と、通信端末との間で通信を行うための通信インターフェイスと、少なくとも、通信を許可された前記通信端末の識別情報と、この通信端末との間で通信を行うための情報とが記憶された第３の記憶媒体と、通信インターフェイスが通信端末に接続されると、識別情報に基づいて、通信端末と通信可能か否かを判断し、通信可能であると判断した場合に、第３の記憶媒体に記憶された情報に基づき、通信インターフェイスを介して、通信端末との間で通信を行う通信制御手段とを備えた記録再生装置であって、禁止手段が、この禁止をした場合、読出位置情報に基づき、この読出位置からの動画情報を生成し、生成したこの動画情報を、第３の記憶媒体に追加する追加手段と、追加手段が動画情報を第３の記憶媒体に追加したか否かを判定する判定手段とを備え、通信制御手段は、判定手段が、追加したと判定し、通信インターフェイスが通信端末に接続されると、識別情報に基づき、通信端末と通信可能であるか否かを判断し、通信可能であると判断した場合に、第３の記憶媒体に記憶された情報に基づき、通信インターフェイスを介して、通信端末との間で通信を行うことを特徴としている。
【０００８】
このように構成された本発明の記録再生装置においては、追加手段は、禁止手段が、上記禁止した場合、読出位置情報に基づき、この読出位置からの動画情報を生成し、静止した上記動画情報を、第３の記憶媒体に追加する。
【０００９】
判定手段は、追加手段が動画情報を第３の記憶媒体に追加したか否かを判定する。通信制御手段は、判定手段が、上記動画情報を追加したと判定し、通信インターフェイスが通信端末に接続されると、識別情報に基づき、通信端末と通信可能であるか否かを判断し、通信可能であると判断した場合に、第３の記憶媒体に記憶された情報に基づき、通信インターフェイスを介して、通信端末との間で通信を行う。
【００１０】
このため、本発明の記録再生装置によれば、再生を停止した位置からの動画情報を、別途用意した通信端末と通信が可能である。
よって、この通信端末はこの動画情報を受信可能である。
【００１１】
したがって、この通信端末に、動画情報を視聴できるアプリケーションソフトウェアが備わっていれば、この通信端末で、この動画情報を視聴することができる。
次に請求項２に記載の発明は、請求項１に記載の記録再生装置において、第１の禁止手段がこの禁止をした場合、追加手段が、読出位置情報に基づき、この読出位置からの動画情報を生成し、この動画情報を、第３の記憶媒体に追加することを禁止する第２の禁止手段とを備えることを特徴としている。
【００１２】
このように構成された本発明の記録再生装置においては、第２の禁止手段は、第１の禁止が上記禁止をした場合、追加手段が、読出位置情報に基づき、この読出位置からの動画情報を生成し、この動画情報を、第３の記憶媒体に追加することを禁止する。
【００１３】
したがって、視聴者が、上記別途用意された通信端末で、途中から動画情報を視聴する必要がない場合であり、本記録再生装置で、この途中から動画情報を視聴することを望む場合、上記読出位置からの動画情報を生成し、この動画情報を、第３の記憶媒体に追加する必要はないという効果がある。
【００１４】
次に請求項３に記載の発明は、請求項１または２に記載の記録再生装置において、第１の禁止手段が、上記禁止をした場合、上記追加手段は、読出位置情報を第３の記憶媒体に追加することを特徴としている。
【００１５】
つまり、追加手段は、読出位置情報を第３の記憶媒体に、読出位置情報のみを追加することが可能である。
よって、別途用意された通信端末に、既に、動画情報が記憶されている場合は、読出位置のみを、この本記録再生装置と通信端末とで、通信させればよいことになる。
【００１６】
視聴者は、この通信端末で、途中から動画情報を視聴したい場合、読出位置情報に基づき、生成された読出位置からの動画情報を受信するのではなく、上記読出位置情報を受信すればよい。
【００１７】
この読出位置情報を受信する時間の長さは、一般に、上記生成された読出位置からの動画情報を受信完了する時間の長さよりも十分に短く、視聴者は、受信完了するまでの時間経過を気にする必要はない。
【００１８】
次に請求項４に記載の発明は、請求項１〜３の何れかに記載の記録再生装置において、通信端末とは、携帯型通信機器であることを特徴としている。
したがって、本記録再生装置において、途中まで、動画情報を視聴して、この途中から動画情報を出先で視聴したい場合や、場所を選ばずこの途中から動画情報を視聴したい場合に大変便利である。
【００１９】
次に請求項５に記載の発明は、請求項１〜３の何れかに記載の記録再生装置において、通信端末とは、携帯型通信機器以外の再生装置であることを特徴としている。
したがって、本記録再生装置において、途中まで、動画情報を視聴して、この途中から動画情報を、例えば、本記録再生装置がおかれた場所とは異なる場所に別途設置されている再生装置や、パーソナルコンピュータで視聴したい場合に大変便利である。
【００２０】
次に、請求項６に記載の発明は、請求項１〜５の何れかに記載の記録再生装置において、通信制御手段は、通信可能と判断した通信端末に、追加手段により第３の記憶媒体に追加された動画情報を送信するようになっていることを特徴としている。
【００２１】
この請求項６の記録再生装置によれば、第３の記憶媒体に追加された動画情報、つまり、再生を停止した位置からの動画情報が通信端末に送信されるため、前述のように、通信端末に動画情報を視聴できるアプリケーションソフトウェアが備わっていれば、通信端末でその再生を停止した位置からの動画情報を視聴できるようになる。
【００２２】
次に、請求項７の発明は、請求項３に記載の記録再生装置において、通信端末は動画情報を記憶できるようになっており、通信制御手段は、通信対象である通信端末に動画情報が記憶されており、かつその動画情報が第１の記憶媒体に記憶されている動画情報と一致するか否かを判定し、一致すると判定すると、その通信端末に、追加手段により第３の記憶媒体に追加された読出位置情報を送信するようになっていることを特徴としている。
【００２３】
この請求項７の記録再生装置によれば、前述のように、既に、動画情報（第１の記憶媒体に記憶された動画情報と同じ動画情報）が通信端末に記憶されている場合は、読出位置情報のみを通信端末に送信するようにして、通信に要する時間を短くすることができる。尚、通信端末では、読出位置情報が表す読出位置から、その通信端末に記憶されている動画情報が再生されるようにすればよい。
【００２４】
次に、請求項８の発明は、動画情報が記憶された第１の記憶媒体からその動画情報を読み出すとともに、読み出した動画情報が表す映像及び音声を出力する再生動作を実行する再生手段と、外部の機器と通信を行うための通信インターフェイスとを備えた記録再生装置と、記録再生装置と通信可能な通信端末とからなる再生システムである。
【００２５】
そして、記録再生装置は、再生手段の再生動作を停止させる第１の禁止手段と、第１の禁止手段により再生動作が停止されると、第１の記憶媒体における動画情報の読み出し停止位置を検出する検出手段と、検出手段により検出された読み出し停止位置の情報（以下、停止位置情報と言う）を第２の記憶媒体に記録する記録手段とを備えている。尚、第１の禁止手段は、視聴者の入力に基づき、再生動作を停止させることが考えられる。
【００２６】
また、第１の禁止手段により再生動作が停止された際、第１の記憶媒体に記憶された動画情報のうち、第２の記憶媒体に記憶された停止位置情報が表す停止位置から再生されるべき動画情報をその第１の記憶媒体から読み出して第３の記憶媒体に記憶させる追加手段と、追加手段により第３の記憶媒体に記憶された動画情報を、通信インターフェイスを介して通信端末に送信する通信制御手段とを備えている。
【００２７】
一方、通信端末は、記録再生装置から受信した動画情報を記憶する受信情報記憶手段と、受信情報記憶手段に記憶された動画情報が表す映像及び音声を出力する端末側再生手段とを備えている。
【００２８】
このような請求項８の再生システムによれば、記録再生装置において、映像及び音声の出力（以下、再生とも記載する）が停止されても、その停止位置からの続きの動画情報が通信端末に送信され、その通信端末で再生されるようにすることができる。つまり、視聴者は、記録再生装置にて視聴していた動画情報の続きを、通信端末で視聴できるようになる。特に、通信端末が携帯可能であれば、視聴者は、記録再生装置にて視聴していた動画の続きをどのような場所でも視聴することができるようになり、非常に便利である。
【００２９】
ところで、記録再生装置において動画情報の再生が停止された際、その動画情報の続きを通信端末で視聴することを視聴者が望まない、或いは必要としないような場合も考えられる。
【００３０】
そこで、請求項９の再生システムは、請求項８の再生システムにおいて、記録再生装置は、使用者の入力に基づき、追加手段が第３の記憶媒体に動画情報を記憶することを禁止する第２の禁止手段を備えている。
【００３１】
これによれば、視聴者は、記録再生装置において再生動作が停止された場合に、続きの動画情報が第３の記憶媒体に記憶されないようにすることができる。つまり、その続きの動画情報が通信端末に送信されないようにすることができる。よって、続きの動画情報を通信端末で視聴することを望まない、或いは必要としないといったような場合には、動画情報が通信端末に送信されないようにすることができ便利である。
【００３２】
また、請求項９の再生システムでは、記録再生手段は、使用者の入力に基づき、再生手段に、第１の記憶媒体に記憶された動画情報についての再生動作を、第２の記憶媒体に記録された停止位置情報が表す停止位置から再開させる再生制御手段を備えている。これによれば、視聴者は、記録再生装置にて続きを視聴することができ便利である。
【００３３】
次に、請求項１０の再生システムは、請求項８，９の再生システムにおいて、通信端末は、動画情報を記憶する動画情報記憶手段を備えている。尚、動画情報を予め記憶させておくことが考えられる。
【００３４】
そして、追加手段は、停止位置情報を第３の記憶媒体に記憶させるようになっており、通信制御手段は、通信対象である通信端末の動画情報記憶手段に動画情報が記憶されており、かつその動画情報が第１の記憶媒体に記憶されている動画情報と一致するか否かを判定し、一致すると判定すると、その通信端末に、追加手段により第３の記憶媒体に記憶された停止位置情報を、その追加手段により第３の記憶媒体に記憶された動画情報に代えて送信するようになっている。
【００３５】
一方、端末側再生手段は、記録再生装置から停止位置情報を受信すると、動画情報記憶手段に記憶された動画情報のうち、その停止位置情報が表す停止位置から再生すべき動画情報を読み出してその動画情報が表す映像及び音声を出力するようになっている。
【００３６】
このような請求項１０の再生システムによれば、視聴者が記録再生装置での動画情報の再生を停止させ、続きの動画情報を通信端末で視聴することを望むような場合、その視聴していた動画情報が既に通信端末に記憶されていれば、停止位置情報のみが通信端末に送信され、その通信端末にて動画情報の続きが再生されるようにすることができる。つまり、わざわざ動画情報が通信端末に送信されないようにすることができる。よって、視聴者が通信端末で動画情報の続きを視聴しようとする場合に、記録再生装置と通信端末との間の通信に不要に時間がかかってしまう、ということを防止することができる。
【００３７】
次に、請求項１１の発明は、動画情報を受信するとその動画情報が表す映像及び音声を出力するように構成された通信端末と通信可能に接続される記録再生装置であって、動画情報が記憶された第１の記憶媒体からその動画情報を読み出すとともに、読み出した動画情報が表す映像及び音声を出力する再生動作を実行する再生手段と、再生手段の前記再生動作を停止させる第１の禁止手段と、第１の禁止手段により再生動作が停止されると、第１の記憶媒体における動画情報の読み出し停止位置を検出する検出手段と、検出手段により検出された読み出し停止位置の情報（以下、停止位置情報と言う）を第２の記憶媒体に記録する記録手段と、第１の禁止手段により再生動作が停止された際、第１の記憶媒体に記憶された動画情報のうち、第２の記憶媒体に記憶された停止位置情報が表す停止位置から再生されるべき動画情報をその第１の記憶媒体から読み出して第３の記憶媒体に記憶させる追加手段と、追加手段により第３の記憶媒体に記憶された動画情報を、通信端末との間で通信を行うための通信インターフェイスを介して通信端末に送信する通信制御手段とを備えている記録再生装置である。
【００３８】
このような記録再生装置によれば、請求項８について述べたような効果と同じ効果を得ることができる。
【発明を実施するための最良の形態】
【００３９】
以下、本発明が適用された実施形態について、図１〜４を用いて説明する。
［第１実施形態］
まず図１について説明する。図１は本発明による記録再生装置の一例であるＤＶＤレコーダ１とＤＶＤレコーダ１に関わる周辺機器の電気的構成を示すブロック図である。尚、周辺機器とは、アナログビデオデッキ２(ａ)、ＮＴＳＣ方式テレビ受像機２(ｂ)、チューナー／復調回路群２(ｄ)〜２(ｇ)（具体的に、地上波デジタルチューナー２(ｄ)、ＢＳデジタルチューナー２(ｅ)、ＣＳデジタルチューナー２(ｆ)、ＩＥＥＥ１３９４規格ポート２(ｇ)である）、ＤＶＤ２(ｃ)、ＦＴＰサーバー３(ａ)、通信局３(ｂ)、ＤＶＤレコーダ４、携帯電話５、パーソナルコンピュータ６である。
【００４０】
まず図１においてＤＶＤレコーダ１に関わる周辺機器とこのＤＶＤレコーダ１との関係を含めＤＶＤレコーダ１の概略構成について説明する。
ＤＶＤレコーダ１は、バックエンドＬＳＩ１０と、ハードディスクドライブ（以下、ＨＤＤと記載する）／ストリームコントローラ２０と、ＳＣＳＩインターフェイス３０と、ＵＳＢインターフェイス４０と、入出力インターフェイス５０と、無線ＬＡＮモデム６０と、赤外線インターフェイス７０とを備えている。
【００４１】
次にバックエンドＬＳＩ１０内部の概略構成について説明する。
バックエンドＬＳＩ１０は、オーディオデコーダチップ１１、ＮＴＳＣ方式テレビ受像機２（ｂ）用のアナログオーディオ信号へのＤ／Ａ変換を行うデジタルアナログコンバータ（ＤＡＣ）１２ａ、アナログビデオデッキ２（ａ）用のアナログオーディオ信号へのＤ／Ａ変換を行うデジタルアナログコンバータ（ＤＡＣ）１２ｂ、ＴＳ分離＋ビデオデコーダチップ１３、ビデオスケーラチップ１４、ＯＳＤ内蔵マイコンチップ１５、アナログビデオデッキ２（ａ）用のアナログビデオ信号へのＤ／Ａ変換を行うデジタルアナログコンバータ（ＤＡＣ）１６、ＮＴＳＣ方式テレビ受像機２(ｂ)用のアナログビデオ信号へのＤ／Ａ変換を行うＮＴＳＣエンコーダ１７、電子番組などのＯＳＤ（Ｏｐｅｎ  Ｓｏｆｔｗａｒｅ  Ｄｅｓｃｒｉｐｔｉｏｎ）情報が記憶されるＯＳＤＳＤＲＡＭ１８、各種制御信号が一時的に記憶されるＳＤＲＡＭ１９で構成されている。
【００４２】
次にＯＳＤ内蔵マイコンチップ１５について説明する。
ＯＳＤ内蔵マイコンチップ１５は、ＯＳＤデータを記憶するフレームメモリを含み、動画情報との合成制御を行うＯＳＤ１５(ａ)と、ＤＶＤレコーダ１における各種制御を行うＣＰＵ１５(ｂ)と、このＣＰＵ１５(ｂ)が実行する各処理のためのプログラムが格納されているＦＬＡＳＨＲＯＭ１５(ｃ)で構成されている。尚、動画情報とは、映像及び音声を表す情報のことである。
【００４３】
次にＨＤＤ／ストリームコントローラ２０について説明する。
ＨＤＤ／ストリームコントローラ２０は、ＨＤＤ２１〜２３と、バックエンドＬＳＩ１０との間でデータをやり取りするためのインターフェイスである。尚、ＨＤＤ２１〜２３には、動画情報が格納される。尚、動画情報としては、例えばＭＰＥＧ−２ストリーム（ＭＰＥＧ−２データであって、データ転送しながらリアルタイムに再生されるようにするためのデータ形式のものである）がある。
【００４４】
次にＳＣＳＩインターフェイス３０について説明する。
ＳＣＳＩインターフェイス３０は、ＴＳ分離＋ビデオデコーダチップ１３で圧縮された必要な動画情報をＤＶＤドライブ３１を用いて、ＤＶＤに記録させるためのインターフェイスである。尚、ＤＶＤドライブ３１は、ＤＶＤ２（ｃ）に記憶された動画情報を読み込んだり、図示しないブランクのＤＶＤに動画情報を書き込んだりするための装置である。
【００４５】
次にＵＳＢインターフェイス４０について説明する。
ＵＳＢインターフェイス４０は、ＵＳＢポート４１を介して接続される外部の機器と各種信号をやり取りするためのインターフェイスである。
【００４６】
次に入出力インターフェイス５０について説明する。
入出力インターフェイス５０は、外部操作によってＤＶＤレコーダ１への各種指令を受け付ける操作パネル５１からの信号等の各種調整や、バックエンドＬＳＩ１０からの各種ステータス信号等を表示パネル５２へ表示させるための各種調整を行う。
【００４７】
次に無線ＬＡＮモデム６０について説明する。
無線ＬＡＮモデム６０は、外部のネットワーク網と接続するためのモデムである。ＤＶＤレコーダ１は、この無線ＬＡＮモデム６０を介してネットワーク網に接続されるとともに、ＦＴＰサーバー３（ａ）、及び通信局３（ｂ）を介して、ＤＶＤレコーダ４、携帯電話５、及びパーソナルコンピュータ６と通信可能なように構成されている。
【００４８】
次に赤外線インターフェイス７０について説明する。
赤外線インターフェイス７０は、外部への赤外線信号を赤外線発光部７１を介して出力するためのインターフェイスである。
【００４９】
次に図２について説明する。
まず図２(ａ)について、説明する。
図２(ａ)は、図１におけるＴＳ分離＋ビデオデコーダチップ１３内部の概略構成図である。
【００５０】
ＴＳ分離＋ビデオデコーダチップ１３は、外部からの入力動画情報を入力するために適宜選択するＴＳセレクタ１３ａ、入力された動画情報から、必要な各種情報を抜き出すＴＳ分離部１３ｂ、ＴＳ分離部１３ｂで抜き出された各種情報の符号化等を行うビデオデコーダチップ１３ｃで構成されている。尚、ＴＳセレクタ１３ａは、具体的に、チューナー／復調回路群２(ｄ)〜２(ｇ)の何れかとＤＶＤレコーダ１とが接続されるように、接続を適宜切り換える。
【００５１】
次に図２(ｂ)について説明する。
図２(ｂ)は、図２(ａ)におけるビデオデコーダチップ１３ｃ内部の概略構成図である。
ビデオデコーダチップ１３ｃには、上記ＨＤＤ２１〜２３等に格納されたＭＰＥＧ−２ストリームを入力するＭＰＥＧ−２デコーダ１３(ｃ)１、ＭＰＥＧ−２デコーダ１３(ｃ)１でデコードされたストリームを符号化するＩピクチャ符号化回路１３(ｃ)２、各種制御を行うＤＳＰ１３(ｃ)３が備えられている。
【００５２】
このような構成のＤＶＤレコーダ１では、ＤＶＤドライブ３１によりＤＶＤ２（ｃ）に記憶された動画情報が読み込まれるとともに、その動画情報が一旦ＨＤＤ２１〜２３にＭＰＥＧ−２ストリームとして格納され、ＭＰＥＧ−２デコーダ１３(ｃ)１がＨＤＤ２１〜２３に格納されたそのＭＰＥＧ−２ストリームをデコードする。デコードされたデータのうち、音声を表すデータはＤＡＣ１６を介してＮＴＳＣ方式テレビ受像機２（ｂ）に出力され、映像を表すデータは、Ｉピクチャ符号化回路１３(ｃ)２により符号化される。この符号化されたデータはフレーム映像（Ｉピクチャ）を表すものであり、ＮＴＳＣエンコーダ１７を介してＮＴＳＣ方式テレビ受像機２（ｂ）に出力される。このようにして、ＤＶＤ２（ｃ）に記憶された動画情報が再生される。尚、以下において、ＭＰＥＧ−２デコーダ１３(ｃ)１が動画情報を再生する、とは、ＭＰＥＧ−２デコーダ１３(ｃ)１がＨＤＤ２１〜２３に格納されたＭＰＥＧ−２ストリームをデコードすることを言うものとする。
【００５３】
次に、ＤＶＤレコーダ４、携帯電話５、及びパーソナルコンピュータ６について説明する。
まず、ＤＶＤレコーダ４は、ＤＶＤレコーダ１と同じ構成を備えている。
【００５４】
次に、携帯電話５、及びパーソナルコンピュータ６の構成を図５に示す。
携帯電話５は、各種処理を実行するＣＰＵ５ａ、ＣＰＵ５ａが実行する各種プログラムが記憶されるＲＯＭ５ｂ、各種データ等が記憶されるＲＡＭ５ｃ、外部の機器と通信を行うための通信部５ｄ、情報を表示する表示部５ｅ、情報を入力するための入力部５ｆ、各種情報を記憶するためのフラッシュメモリ５ｇ、図示しないメモリカードの情報を読み込んだり、或いはメモリカードに情報を書き込んだりするためのメモリスロット５ｈ、及びこれらを接続するバス５ｉとを備えている。
【００５５】
そして、パーソナルコンピュータ６は、ＣＰＵ６ａ、ＲＯＭ６ｂ、ＲＡＭ６ｃ、ＨＤＤ６ｄ、入出力インターフェイス６ｈ及びこれらを接続するバス６ｉを備えている。入出力インターフェイス６ｈには、表示部６ｅ、入力部６ｆ、通信部６ｇが接続されている。
【００５６】
次に図３、４について説明する。
図３は、ＣＰＵ１５(ｂ)が実行する、途中まで視聴した時点での読出位置からの動画情報を使ったレジューム処理である。
【００５７】
図４は、ＣＰＵ１５(ｂ)が実行する、動画情報を途中まで視聴した時点での読出位置を使ったレジューム処理である。
尚、このレジューム処理とは、動画情報の再生中に再生が停止された場合、再生停止位置を記憶しておいて、次の再生時に前回の再生停止位置から継続的に動画情報を再生させるようにする処理のことである。また、図３、４のレジューム処理は、ＤＶＤレコーダ１において、視聴者の入力に基づき動画情報が再生されると開始される。
【００５８】
まず図３について説明する。
最初にＳ２００にて、読出位置からの動画情報を使ったレジューム処理をするか否かを判断する。動画情報を使ったレジューム処理（Ｓ２１０〜Ｓ２６０）は、ＤＶＤレコーダ４、携帯電話５、或いはパーソナルコンピュータ６（以下、単にＤＶＤレコーダ４等とも記載する）に、ＤＶＤレコーダ１で再生中の動画情報（以下、レジューム対象動画情報と記載する）が記憶されていない場合に実行されるものである。
【００５９】
そして、本実施形態では、動画情報を使ったレジューム処理（Ｓ２１０〜Ｓ２６０）及び読出位置を使ったレジューム処理（後述する図４のＳ３１０〜Ｓ３５０）の何れが実行されるようにするかは、視聴者により予め操作パネル５１を介して設定されるようになっており、Ｓ２００及び後述するＳ３００では、その設定に基づき判断する。つまり、動画情報を使ったレジューム処理が実行されるよう設定されている場合には、ＤＶＤレコーダ４等にレジューム対象動画情報が記憶されていないと判断して（Ｓ２００：ＮＯ）、動画情報を使ったレジューム処理を実行し、読出位置を使ったレジューム処理が実行されるよう設定されている場合には、ＤＶＤレコーダ４等にレジューム対象動画情報が記憶されていると判断して（Ｓ２００：ＹＥＳ）、読出位置を使ったレジューム処理を実行する。
【００６０】
この読出位置を使ったレジューム処理をしないと判断した場合（動画情報を使ったレジューム処理を実行すると判断した場合）には（Ｓ２００：ＮＯ）、Ｓ２１０に移行する。
上記読出位置を使ったレジューム処理をすると判断した場合には（Ｓ２００：ＹＥＳ）、図４のＢにつき、Ｓ３１０へ移行する。
【００６１】
Ｓ２１０へ移行した場合、ＭＰＥＧ−２デコーダ１３(ｃ)１が動画情報の再生を停止したか否かを判断する。尚、ＭＰＥＧ−２デコーダ１３(ｃ)１は、視聴者により操作パネル５１を介して再生を停止させる指令が入力されると、再生を停止する。
【００６２】
ＭＰＥＧ−２デコーダ１３(ｃ)１が動画情報の再生を停止した場合には（Ｓ２１０：ＹＥＳ）、Ｓ２２０にてＭＰＥＧ−２デコーダ１３(ｃ)１が再生を停止した時の読出位置を検出する。具体的に、ＨＤＤ２１〜２３におけるＭＰＥＧ−２ストリームの読出停止位置、換言すれば、ＤＶＤ２（ｃ）における動画情報の読出停止位置を検出する。
【００６３】
次に、Ｓ２３０にて、Ｓ２２０で検出した読出位置（ここでは、ＤＶＤ２（ｃ）における動画情報の読出停止位置）の情報をＳＤＲＡＭ１９に記憶する。
次に、Ｓ２４０にて、ＳＤＲＡＭ１９に記憶された読出位置情報に基づいて、再生停止位置（ＳＤＲＡＭ１９に記憶された読出位置情報が表す読出位置）からの動画情報を生成（ＤＶＤ２（ｃ）から読み出して生成）し、記憶する。この動画情報はＨＤＤ群（ＨＤＤ２１〜２３）に記憶されるかまたはＦＴＰサーバー３(ａ)に保存される。
【００６４】
次に、Ｓ２５０にて、ＨＤＤ群（ＨＤＤ２１〜２３）またはＦＴＰサーバー３(ａ)に動画情報が追加（記憶）されたと判定するとともに、ＤＶＤレコーダ１が通信局３(ｂ)を介してパーソナルコンピュータ６もしくは別途用意されたＤＶＤレコーダ４または携帯電話５と通信可能であるか否かを判断する。通信可能であると判断した場合には（Ｓ２５０：ＹＥＳ）、Ｓ２６０にて、Ｓ２４０で記憶した動画情報を、ＤＶＤレコーダ１とパーソナルコンピュータ６もしくは上記ＤＶＤレコーダ４または携帯電話５と通信させることでそのパーソナルコンピュータ６、ＤＶＤレコーダ４、或いは携帯電話５に送信する。その後、Ｓ２００に戻る。尚、ＨＤＤ２１〜２３或いはＦＴＰサーバー３(ａ)には、通信を許可された通信端末（例えばＤＶＤレコーダ４等）の識別情報と、その通信端末との間で通信を行うための情報とが記憶されている。ＣＰＵ１５（ｂ）は、それらの情報に基づき、通信可能か否かを判断するとともに、通信可能な通信端末との通信を行う。
【００６５】
次に、Ｓ２５０にて、ＤＶＤレコーダ１が通信局３(ｂ)を介してパーソナルコンピュータ６もしくは別途用意されたＤＶＤレコーダ４または携帯電話５と通信可能ではないと判断した場合の説明をする。
【００６６】
上記通信可能ではないと判断した場合、Ｓ２００で戻り処理を再び開始する。
ここで、ＤＶＤレコーダ１からの動画情報は、ＤＶＤレコーダ４ではＨＤＤ群（図１のＨＤＤ２１〜２３）に記憶され、携帯電話５では、フラッシュメモリ５ｇに記憶され、パーソナルコンピュータ６では、ＨＤＤ６ｄに記憶される。また、携帯電話５では、メモリスロット５ｈを介して図示しないメモリカードに記憶されるようにすることもできる。
【００６７】
そして、ＤＶＤレコーダ４ではＣＰＵ１５（ｂ）の処理により、携帯電話５ではＣＰＵ５ａの処理により、パーソナルコンピュータ６では、ＣＰＵ６ａの処理により、動画情報が再生されるようになっている。
【００６８】
次に図４について説明する。
最初に読出位置からの動画情報を使ったレジューム処理をするか否かを判断する。この読出位置を使ったレジューム処理をすると判断した場合には（Ｓ３００：ＹＥＳ）、Ｓ３１０に移行する。尚、この場合、読出位置からの動画情報を生成する処理（Ｓ２４０）の実行を禁止する。
【００６９】
上記読出位置を使ったレジューム処理をすると判断した場合に、図３のＡにつき、Ｓ２１０へ移行する。
Ｓ３１０へ移行した場合、ＭＰＥＧ−２デコーダ１３(ｃ)１が動画情報の再生を停止したか否かを判断する。
【００７０】
ＭＰＥＧ−２デコーダ１３(ｃ)１が動画情報の再生を停止した場合には、（Ｓ３１０：ＹＥＳ）、Ｓ２２０にてＭＰＥＧ−２デコーダ１３(ｃ)１が再生を停止した時の読出位置を検出する。
【００７１】
次に、Ｓ３３０にて、Ｓ３２０で検出した読出位置の情報をＦＬＡＳＨＲＯＭ１５(ｃ)に記憶する。
次に、Ｓ３４０にて、ＤＶＤレコーダ１が通信局３(ｂ)を介してパーソナルコンピュータ６もしくは別途用意されたＤＶＤレコーダ４または携帯電話５と通信可能であるか否かを判断する。通信可能であると判断した場合には（Ｓ３４０：ＹＥＳ）、Ｓ３５０にて、Ｓ３３０で記憶した上記読出位置情報を、ＤＶＤレコーダ１とパーソナルコンピュータ６もしくは上記ＤＶＤレコーダ４または携帯電話５とで通信させることでそのパーソナルコンピュータ６、ＤＶＤレコーダ４、或いは携帯電話５に送信する。その後、Ｓ３００に戻る。
【００７２】
次に、Ｓ３４０にて、ＤＶＤレコーダ１が通信局３(ｂ)を介してパーソナルコンピュータ６もしくは別途用意されたＤＶＤレコーダ４または携帯電話５と通信可能ではないと判断した場合の説明をする。
【００７３】
上記通信可能ではないと判断した場合、Ｓ３００で戻り処理を再び開始する。
ここで、ＤＶＤレコーダ４、携帯電話５、或いはパーソナルコンピュータ６は、ＤＶＤレコーダ１から読出位置情報を受信すると、その読出位置情報が表す読出位置から再生すべき動画情報を読み出して、その動画情報を再生する。具体的に、ＤＶＤレコーダ４では、ＣＰＵ１５（ｂ）の処理によりＨＤＤ２１〜２３から動画情報が読み出され、携帯電話５では、ＣＰＵ５ａの処理によりフラッシュメモリ５ｇ或いは図示しないメモリカードから動画情報が読み出され、パーソナルコンピュータ６では、ＣＰＵ６ａの処理によりＨＤＤ６Ｄから動画情報を読み出され、その動画情報が再生される。
【００７４】
[効果]
以上説明したように、本実施形態における記録再生装置によれば、再生を停止した位置からの動画情報を、別途用意した通信端末（ＤＶＤレコーダ４、携帯電話５、パーソナルコンピュータ６）にて、視聴が可能である。
【００７５】
尚、本実施形態のＭＰＥＧ−２デコーダ１３(ｃ)１は、本発明の再生手段に相当し、本実施形態の各種処理をするＣＰＵ１５(ａ)は、検出手段、再生制御手段、第１の禁止手段、第２の禁止手段、第２の記録手段、追加手段、判定手段に相当する。また特に、Ｓ２２０及びＳ３２０の処理が検出手段に相当し、Ｓ２３０の処理が第２の記録手段に相当し、Ｓ２４０及びＳ３３０の処理が追加手段に相当する。また操作パネル５１における再生停止ボタンとこの再生停止ボタンにより再生停止指令を受け入れたＣＰＵ１５(ａ)が再生手段に動画情報を再生停止させることに相当する。
【００７６】
また、ＤＶＤレコーダ１が記録再生装置に相当し、ＤＶＤ２（ｃ）が第１の記憶媒体に相当し、ＣＰＵ１５（ｂ）、ＳＣＳＩインターフェイス３０及びＤＶＤドライブ３１が第１の記録手段に相当し、ＦＬＡＳＨＲＯＭ１５（ｃ）が第２の記憶媒体に相当し、無線ＬＡＮモデム６０が通信インターフェイスに相当し、ＣＰＵ１５（ｂ）、Ｓ２５０、Ｓ２６０、Ｓ３４０、Ｓ３５０の処理が通信制御手段に相当し、ＦＬＡＳＨＲＯＭ１５（ｃ）、ＨＤＤ２１〜２３及びＦＴＰサーバー３（ａ）が第３の記憶媒体に相当し、フラッシュメモリ５ｇ、ＨＤＤ６ｄ、ＤＶＤレコーダ４のＨＤＤ２１〜２３が受信情報記憶手段及び動画情報記憶手段に相当し、ＣＰＵ５ａ、ＣＰＵ６ａ、ＤＶＤレコーダ４のＭＰＥＧ−２デコーダ１３(ｃ)１が端末側再生手段に相当している。
［第２実施形態］
次に、第２実施形態について説明する。
【００７７】
第２実施形態では、ＤＶＤレコーダ１の構成及びその周辺機器の構成は、第１実施形態と同じである。
一方、ＤＶＤレコーダ１のＣＰＵ１５（ｂ）が、図４の処理に代えて図６の処理を実行する点が異なっている。
【００７８】
図６の処理では、図４の処理と比較して、Ｓ３３２及びＳ３３４の処理を実行する点が異なっている。尚、同じステップについては、同じ符号を付している。
図６において、ＦＬＡＳＨＲＯＭ１５（ｃ）に読出位置情報を記憶すると（Ｓ３３０）、Ｓ３３２に進み、このＤＶＤレコーダ１にて再生を再開するか否かを、視聴者の入力に基づき判定する。再生を再開しないと判定すると（Ｓ３３２：ＮＯ）、Ｓ３４０へ移行する。
【００７９】
一方、再生を再開すると判定すると（Ｓ３３２：ＹＥＳ）、Ｓ３３４へ移行し、再生を再開する。そして、再びＳ３００へ戻る。
これによれば、視聴者は、同じＤＶＤレコーダ１で、再生を停止した位置からの動画情報の続きを視聴することができるようになり、便利である。
【００８０】
尚、Ｓ３３２及びＳ３３４の処理が、請求項９の再生制御手段に相当している。
[別実施形態]
以上、本発明の一実施形態について説明したが、本発明は、上記実施形態に限定されるものではなく、本発明の技術範囲にて種々の態様をとることができる。
【００８１】
例えば、上記実施形態においては、レジューム機能をＣＰＵ１５(ｂ)が判断することとしていたが、表示パネル５２にて、外部操作により手動で設定されてもよい。
また上記実施形態において、Ｓ２００或いはＳ３００では、以下のようにして、動画情報を使ったレジューム処理と読出位置を使ったレジューム処理との何れを実行するかを判断するようにしてもよい。尚、ＤＶＤレコーダ１とＤＶＤレコーダ４等とが通信可能であることを前提とする。まず、ＤＶＤレコーダ４等に動画情報が記憶されている場合には、その動画情報の内容（例えば、タイトル、識別番号、制作者、著作者等）の情報がＤＶＤレコーダ１に送信されるように構成する。そして、ＤＶＤレコーダ１のＣＰＵ１５（ｂ）は、ＤＶＤレコーダ４等から受信した動画情報の内容の情報に基づき、そのＤＶＤレコーダ４等に記憶されている動画情報がレジューム対象動画情報と同じであるか否かを判定し、同じであれば、読出位置を使ったレジューム処理を実行すると判断し、同じでなければ、動画情報を使ったレジューム処理を実行すると判断するようにしてもよい。この場合、視聴者は、動画情報を使ったレジューム処理と読出位置を使ったレジューム処理との何れが実行されるようにするかを予め設定をしなくてもよくなり、便利である。
【図面の簡単な説明】
【００８２】
【図１】記録再生装置の一例であるＤＶＤレコーダ１とＤＶＤレコーダ１に関わる周辺機器の電気的構成を示すブロック図である。
【図２】(ａ)は、図１におけるＴＳ分離＋ビデオデコーダチップ１３内部の概略構成図であり、(ｂ)は、図２(ａ)におけるビデオデコーダチップ１３ｃ内部の概略構成図である。
【図３】ＣＰＵ１５(ｂ)が実行する、途中まで視聴した時点での読出位置からの動画情報を使ったレジューム処理を示すフローチャートである。
【図４】ＣＰＵ１５(ｂ)が実行する、動画情報を途中まで視聴した時点での読出位置情報を使ったレジューム処理を示すフローチャートである。
【図５】携帯電話５及びパーソナルコンピュータ６の構成図である。
【図６】第２実施形態のＣＰＵ１５(ｂ)が実行する、動画情報を途中まで視聴した時点での読出位置情報を使ったレジューム処理を示すフローチャートである。
【符号の説明】
【００８３】
１…ＤＶＤレコーダ、２(ａ)…アナログビデオデッキ、２(ｂ)…ＮＴＳＣ方式テレビ受像機、２(ｃ)…ＤＶＤ、２(ｄ)…地上波デジタルチューナー、２(ｅ)…ＢＳデジタルチューナー、２(ｆ)…ＣＳデジタルチューナー、２(ｇ)…ＩＥＥＥ１３９４規格ポート、３(ａ)…ＦＴＰサーバー、３(ｂ)…通信局、１０…バックエンドＬＳＩ、１３…ＴＳ分離＋ビデオデコーダチップ、１５…ＯＳＤ内蔵マイコンチップ、２０…ＨＤＤ／ストリームコントローラ、２１〜２３…ＨＤＤ、３０…ＳＣＳＩインターフェイス、３１…ＤＶＤドライブ、４０…ＵＳＢインターフェイス、４１…ＵＳＢポート、５０…入出力インターフェイス、５１…操作パネル、５２…表示パネル、６０…無線ＬＡＮモデム、７０…赤外線インターフェイス、７１…赤外線発光部。
【図１】
0004795911.tif 000002
【図２】
0004795911.tif 000003
【図３】
0004795911.tif 000004
【図４】
0004795911.tif 000005
【図５】
0004795911.tif 000006
【図６】
0004795911.tif 000007